(57)【要約】【課題】給湯回路の空焚きを極めて簡単な構成で防止することが出来る一缶二水路式追い焚き給湯装置を提供する。【解決手段】給水管からの水を加熱して給湯管から給湯する給湯回路と、浴槽の水を循環加熱する風呂追い焚き回路と、前記給湯回路と前記風呂追い焚き回路とを共通のバーナ部で加熱される熱交換器と、前記給湯回路の給湯管から分岐され風呂追い焚き回路に湯張り三方弁を介して接続された風呂湯張り回路とを備えたもので、前記風呂追い焚き回路による追い焚き単独運転時には、先ず風呂湯張り回路からの呼び水動作を行い、この時の湯張りフローセンサ出力が、設定値以上の状態を一定時間以上継続した場合、或いは設定された積算水量となった場合に、給湯回路内に水有りと判断して追い焚き単独運転を行わせる空焚き検知手段を備えたことにより、給湯回路の空焚きを確実に防止することが出来るものである。【選択図】  図１
2004340398.tif 000002
【特許請求の範囲】
【請求項１】
給水管からの水を加熱して給湯管から給湯する給湯回路と、浴槽の水を循環加熱する風呂追い焚き回路と、前記給湯回路と前記風呂追い焚き回路とを共通のバーナ部で加熱される熱交換器と、前記給湯回路の給湯管から分岐され風呂追い焚き回路に湯張り三方弁を介して接続された風呂湯張り回路とを備えたものに於いて、前記風呂追い焚き回路による追い焚き単独運転時には、先ず風呂湯張り回路からの呼び水動作を行い、この時の湯張りフローセンサ出力が、設定値以上の状態を一定時間以上継続した場合、或いは設定された積算水量となった場合に、給湯回路内に水有りと判断して追い焚き単独運転を行わせる空焚き検知手段を備えた事を特徴とする一缶二水路式追い焚き給湯装置。
【発明の詳細な説明】
【０００１】
【発明の属する技術分野】
この発明は給湯回路の空焚きを簡単な構成で防止した一缶二水路式追い焚き給湯装置に関するものである。
【０００２】
【従来の技術】
従来よりこの種のものでは、給湯用熱交換器に熱交温度センサを備え、追い焚き単独運転時には、この熱交温度センサからの温度情報を基にして給湯回路の空焚きを検知して、追い焚き運転を中止させるものであった。（例えば、特許文献１参照。）
【０００３】
【特許文献１】
特開平１１−１４１９８０号公報
【０００４】
【発明が解決しようとする課題】
ところでこの従来のものでは、熱交温度センサと言う特別な部品が一つ必要で高価となり、又この熱交温度センサからの温度情報に基づいた空焚き検知では、空焚きが行われた後でないと検知することが出来ず、検知する前に給湯用熱交換器が焼損してしまう危険もあり、空焚きする前に確実に検知することは出来ないと言う問題点を有するものであった。
【０００５】
【課題を解決するための手段】
この発明はこの点に着目し上記欠点を解決する為、特にその構成を、給水管からの水を加熱して給湯管から給湯する給湯回路と、浴槽の水を循環加熱する風呂追い焚き回路と、前記給湯回路と前記風呂追い焚き回路とを共通のバーナ部で加熱される熱交換器と、前記給湯回路の給湯管から分岐され風呂追い焚き回路に電動三方弁を介して接続された風呂湯張り回路とを備えたものに於いて、前記風呂追い焚き回路による追い焚き単独運転時には、先ず風呂湯張り回路からの呼び水動作を行い、この時の湯張りフローセンサ出力が、設定値以上の状態を一定時間以上継続した場合、或いは設定された積算水量となった場合に、給湯回路内に水有りと判断して追い焚き単独運転を行わせる空焚き検知手段を備えたものである。
【０００６】
これにより、追い焚き単独運転が指示されると、先ず風呂湯張り回路から風呂追い焚き回路への呼び水動作が行われ、この時の風呂湯張り回路に備えられた湯張りフローセンサ出力で判断するものであり、設定値以上の状態を一定時間以上継続した場合、或いは設定された積算水量となった場合で、即ち呼び水が確実に行われたと言うことは、給湯回路には確実に水が流通していることを意味しており、従って呼び水を行うことによって、給湯回路の空焚きを確実に防止することが出来るものであり、又追い焚き運転を行う前に検知することが出来、給湯回路の焼損を未然に阻止されると共に、無駄な運転の防止にもなるものであり、更に呼び水動作自体は前から追い焚き運転前に行われて、自給式の循環ポンプに呼び水を供給したり、往き管に水を満たすようにしているもので、特別な構成やセンサの追加は不用で安価で済むものである。
【０００７】
【発明の実施の形態】
次にこの発明に係る一缶二水路式追い焚き給湯装置を図面に示された一実施形態で説明する。
図１において１は追い焚き給湯装置で、大別して給湯回路２、風呂追い焚き回路３、風呂湯張り回路４より構成されるものである。
【０００８】
先ず、給湯回路２について説明すると、５は給水管、６は給水の温度を検出する給水サーミスタから成る給水温度センサ、７は給水量を検出する給水流量センサ、８は給湯用熱交換器、９は出湯管、１０は給湯用熱交換器８の出口側の湯温を検出する出湯サーミスタ、１１は給水管５から給湯用熱交換器８をバイパスして出湯管９に接続するバイパス管、１２は出湯管９からの高温の湯とバイパス管１１からの低温の水とを混合して適温に制御するミキシング弁、１３は給湯管、１４は混合された湯の温度を検出するサーミスタから成る給湯温度センサ、１５は過流出を防止する水比例弁、１６は給湯管１３の端部に設けられた蛇口、１７は給湯用熱交換器８を加熱する加熱手段としてのバーナ部である。
【０００９】
次に、風呂追焚き回路３について説明すると、１８は浴槽、１９は風呂戻り管、２０は風呂往き管、２１は前記バーナ部１７により給湯用熱交換器８と共に加熱されるように一体とされた風呂用熱交換器、２２は浴槽１８内の湯を強制循環させる循環ポンプ、２３は循環する浴槽水の温度を検出する風呂サーミスタ、２４は浴槽水の循環の有無を検出する流水スイッチ、２５は浴槽１８内の水位を圧力によって検出する圧力センサから成る水位検出器、２６は後述する風呂湯張り回路４と風呂追い焚き回路３を接続する湯張り三方弁である。
【００１０】
次に、風呂湯張り回路４について説明すると、２７は前記給湯回路２の給湯管１３下流側より分岐され、前記風呂追い焚き回路３の湯張り三方弁２６に接続された風呂湯張り管、２８は風呂湯張り管２７を開閉する湯張り電磁弁、２９は風呂湯張り管２７を通過する流量を検出する湯張りフローセンサ、３０は浴槽水の給湯回路２への逆流を防止するために二重に設けられた逆止弁で、予め設定された設定湯張り量の湯を浴槽１８へ湯張りするものである。
【００１１】
次に、３１はマイクロコンピュータより構成されこの追い焚き給湯装置１の制御を行う制御部である。３２は前記制御部３１に接続されて追い焚き給湯装置１の操作指示を行うリモコンで、風呂自動スイッチ３３や風呂設定温度変更スイッチ３４、設定湯張り量変更スイッチ３５、追い焚きスイッチ３６などの各種操作スイッチと表示器３７とが設けられているものである。
【００１２】
更に図２に示す如く、制御部３１中の空焚き検知手段３８には、入力側に湯張りフローセンサ２９、追い焚きスイッチ３６、出力判定部３９、経過時間判定部４０が接続され、出力側には湯張り三方弁２６、湯張り電磁弁２８、追い焚き燃焼を含む追い焚き運転を制御する追い焚き制御部４１が接続され、追い焚きスイッチ３６が押圧される追い焚き単独運転時には、先ず運転に先立って風呂湯張り回路４により風呂追い焚き回路３に１Ｌの呼び水を行い、この時の湯張りフローセンサ２９の流量検知情報で給湯回路２の状況を判断して、追い焚き単独運転を行うか中止するかを決定するものである。
【００１３】
次に、この発明一実施形態の作動を図３に示すフロ−チャ−トに従って説明する。
今追い焚きスイッチ３６の押圧による追い焚き要求発生（ステップ４２）、更にステップ４３に進んで呼び水動作に入り湯張り三方弁２６を湯張り側に切り替え、ステップ４４では湯張り電磁弁２８をＯＮし、給湯回路２からの水を風呂湯張り回路４を介して風呂追い焚き回路３に少量供給するものである。
【００１４】
そして次のステップ４５では、湯張りフローセンサ２９による検出流量が設定流量以上に達したかを出力判断部３９が判断し空焚き検知手段３８に信号を送り、ＹＥＳでステップ４６に進んで空焚き検知手段３８がこのどは経過時間判定部４０に一定時間のカウントを行わせ、カウントアップの一定時間以上継続でＹＥＳとなり、ステップ４７で給湯回路２に水ありと判断し、ステップ４８で空焚き検知手段３８から信号を送り追い焚き制御部４１による追い焚き運転を開始させるものであり、ステップ４５で設定流量未満ではＮＯでステップ４９に進み、ここでも設定流量未満が一定時間以上継続したかでＹＥＳとなり、ステップ５０で給湯回路２に水なしと判断して、ステップ５１で追い焚きを禁止してエラー表示するものである。
【００１５】
従って、追い焚き単独運転が指示されると、先ず風呂湯張り回路４から風呂追い焚き回路３への呼び水動作が行われ、この時の風呂湯張り回路４に備えられた湯張りフローセンサ２９出力で判断するものであり、設定値以上の状態を一定時間以上継続した場合で、即ち呼び水が確実に行われたと言うことは、給湯回路２には確実に水が流通していることを意味しており、従って呼び水を行うことによって、給湯回路２の空焚きを確実に防止することが出来るものであり、又追い焚き運転を行う前に検知することが出来、給湯回路２の焼損を未然に阻止されると共に、無駄な運転の防止にもなるものであり、更に呼び水動作自体は前から追い焚き運転前に行われて、自給式の循環ポンプ２２に呼び水を供給したり、往き管に水を満たすようにしているもので、特別な構成やセンサの追加は不用で安価で済むものである。
【００１６】
次に図４、５に示す他の実施形態について説明するが、図２、３と同一部分には同一符号を付し、相違点のみを説明する。
空焚き検知手段３８に湯張りフローセンサ２９が検出する積算水量をカウントし所定値に達したかを判断する積算水量判定部５２を、出力判定部３９の替わりに接続したものである。
【００１７】
又図５のフローチャートでは、図３のステップ４５の湯張りフローセンサ２９による検出流量が設定流量以上に達したかを出力判断部３９が判断する替わりに、ステップ５３で湯張りフローセンサ２９の積算水量を積算水量判定部５２が判定し、以下は図３のフローと同様である。
【００１８】
従って、呼び水開始からの湯張りフローセンサ２９の積算水量のカウントでも給湯回路２内の水の有無を判断出来、給湯回路２の空焚きを確実に防止することが出来るものである。
【００１９】
【発明の効果】
以上のようにこの発明によれば、給湯回路の空焚きを確実に防止することが出来るものであり、又追い焚き運転を行う前に検知することが出来、給湯回路の焼損を未然に阻止されると共に、無駄な運転の防止にもなるものであり、更に呼び水動作自体は前から追い焚き運転前に行われて、自給式の循環ポンプに呼び水を供給したり、往き管に水を満たすようにしているもので、特別な構成やセンサの追加は不用で安価で済むものである。
【図面の簡単な説明】
【図１】この発明の一実施形態を付した一缶二水路式追い焚き給湯装置の概略構成図。
【図２】同電気回路のブロック図。
【図３】同要部のフロ−チャ−ト。
【図４】他の実施形態を示す電気回路のブロック図。
【図５】同要部のフロ−チャ−ト。
【符号の説明】
１  追い焚き給湯装置
２  給湯回路
３  風呂追い焚き回路
４  風呂湯張り回路
５  給水管
８  給湯用熱交換器
１７  バーナ部
１８  浴槽
２１  風呂用熱交換器
２９  湯張りフローセンサ
３６  追い焚きスイッチ
３８  空焚き検知手段
３９  出力判定部
４０  経過時間判定部
４１  追い焚き制御部
５２  積算水量判定部
【図１】
2004340398.tif 000003
【図２】
2004340398.tif 000004
【図３】
2004340398.tif 000005
【図４】
2004340398.tif 000006
【図５】
2004340398.tif 000007